【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】
少なくとも一つの画像を組み込む組込領域を有するテンプレートに画像を配置してなる印刷ジョブを作成する印刷ジョブ作成装置であって、
指示に基づいてテンプレートを選択するテンプレート選択手段と、
該選択されたテンプレートの組込領域に対して該組込領域の配置に基づいて順位を設定する順位設定手段と、
指示に基づいて少なくとも一つの画像を前記選択されたテンプレートに組み込む組込画像として選択する組込画像選択手段と、
前記選択されたテンプレートの組込領域への前記選択された組込画像の組み込みが指示されたとき、該選択された組込画像を前記順位設定手段により設定された順位の順に組み込む画像組込手段と、
を備える印刷ジョブ作成装置。
【請求項２】
前記順位設定手段は、テンプレートにおける組込領域の上端の配置の順に順位を設定する手段である請求項１記載の印刷ジョブ作成装置。
【請求項３】
前記順位設定手段は、テンプレートにおける組込領域の左端の配置の順に順位を設定する手段である請求項１または２記載の印刷ジョブ作成装置。
【請求項４】
請求項１ないし３いずれか記載の印刷ジョブ作成装置であって、
前記テンプレートは、組込領域が設定されていないテンプレート用画像に組込領域として透明領域が設定されてなり、
前記順位設定手段は、前記テンプレート用画像に設定された透明領域の配置に基づいて前記順位を設定する手段である
印刷ジョブ作成装置。
【請求項５】
請求項１ないし３いずれか記載の印刷ジョブ作成装置であって、
前記テンプレートは、組込領域が設定されていないテンプレート用画像と、組込領域の範囲を示す領域表示画像とに基づいて作成されてなり、
前記順位設定手段は、前記領域表示画像に基づいて順位を設定する手段である
印刷ジョブ作成装置。
【請求項６】
前記領域表示画像は、前記テンプレート用画像に組込領域に対応する透明領域を設定するための画像である請求項５記載の印刷ジョブ作成装置。
【請求項７】
前記領域表示画像は、オンまたはオフにより組込領域か否かを画素毎に示す一画素の情報量が１ビットの画像である請求項５または６記載の印刷ジョブ作成装置。
【請求項８】
指示に基づいて前記画像組込手段により組込画像が組み込まれたテンプレートの組込領域の一つと該組込領域へ組み込むべき画像とが選択されたとき、該選択された組込領域に組み込まれた画像に代えて該選択された画像を組み込む画像入替手段を備える請求項１ないし７いずれか記載の印刷ジョブ作成装置。
【請求項９】
請求項１ないし８いずれか記載の印刷ジョブ作成装置であって、
前記選択されたテンプレートの組込領域への前記選択された組込画像の組み込みを指示する組込指示手段を備え、
前記画像組込手段は、前記組込指示手段による前記組込画像の組み込みが指示されたときに前記組込画像選択手段により複数の画像が組込画像として選択されているときには、該組込画像として選択された複数の画像を前記選択されたテンプレートの組込領域へ前記順位設定手段により設定された順位の順に組み込む手段である
印刷ジョブ作成装置。
【請求項１０】
前記画像組込手段は、前記組込画像選択手段により複数の画像が組込画像として選択されているときには、該組込画像として選択された順に前記複数の画像を前記選択されたテンプレートの組込領域へ前記順位設定手段により設定された順位の順に組み込む手段である請求項１ないし９いずれか記載の印刷ジョブ作成装置。
【請求項１１】
前記順位設定手段により設定された順位を前記組込領域との関係をもって表示する領域順位表示手段を備える請求項１ないし１０いずれか記載の印刷ジョブ作成装置。
【請求項１２】
請求項１ないし１１いずれか記載の印刷ジョブ作成装置であって、
操作者の操作に基づいて複数種類の印刷サービスから一つの印刷サービスを選択する印刷サービス選択手段と、
前記複数種類の印刷サービス毎に対応するテンプレートを記憶するテンプレート記憶手段と、
を備え、
前記テンプレート選択手段は、前記テンプレート記憶手段に記憶されたテンプレートのうち前記印刷サービス選択手段により選択された印刷サービスに対応するテンプレートを選択可能に一覧表示してテンプレートを選択する手段である
印刷ジョブ作成装置。
【請求項１３】
前記複数種類の印刷サービスは、大伸ばし印刷サービス，ダイジェスト印刷サービス，カレンダー印刷サービス，ポストカード印刷サービス，写真名刺印刷サービス，証明写真印刷サービス，シール印刷サービス，ラベル印刷サービス，アルバム印刷サービスのいずれかを含む請求項１２記載の印刷ジョブ作成装置。
【請求項１４】
コンピュータを請求項１ないし１３いずれか記載の印刷ジョブ作成装置として機能させるプログラム。
【請求項１５】
少なくとも一つの画像を組み込む組込領域を有するテンプレートに画像を配置してなる印刷ジョブを作成する印刷ジョブ作成方法であって、
（ａ）指示に基づいてテンプレートを選択し、
（ｂ）該選択されたテンプレートの組込領域に対して該組込領域の配置に基づいて順位を設定し、
（ｃ）指示に基づいて少なくとも一つの画像を前記選択されたテンプレートに組み込む組込画像として選択し、
（ｄ）前記選択されたテンプレートの組込領域への前記選択された組込画像の組み込みが指示されたとき、該選択された組込画像を前記設定された順位の順に組み込む
印刷ジョブ作成方法。
【請求項１６】
前記ステップ（ｂ）は、テンプレートにおける組込領域の上端の配置および／または左端の配置の順に順位を設定するステップである請求項１５記載の印刷ジョブ作成方法。
【請求項１７】
前記ステップ（ｄ）以降に、指示に基づいて組込画像が組み込まれたテンプレートの組込領域の一つと該組込領域へ組み込むべき画像とが選択されたときに該選択された組込領域に組み込まれた画像に代えて該選択された画像を組み込むステップを備える請求項１５または１６記載の印刷ジョブ作成方法。
【請求項１８】
コンピュータに請求項１５ないし１７いずれか記載の印刷ジョブ作成方法の各ステップを各手順として実行させるプログラム。
【手続補正２】
【補正対象書類名】明細書
【補正対象項目名】００１２
【補正方法】変更
【補正の内容】
【００１２】
本発明の印刷ジョブ作成装置において、指示に基づいて前記画像組込手段により組込画像が組み込まれたテンプレートの組込領域の一つと該組込領域へ組み込むべき画像とが選択されたとき、該選択された組込領域に組み込まれた画像に代えて該選択された画像を組み込む画像入替手段を備えるものとすることもできる。こうすれば、テンプレートに組み込まれた画像を所望の画像に容易に入れ替えることができる。また、本発明の印刷ジョブ作成装置において、前記選択されたテンプレートの組込領域への前記選択された組込画像の組み込みを指示する組込指示手段を備え、前記画像組込手段は、前記組込指示手段による前記組込画像の組み込みが指示されたときに前記組込画像選択手段により複数の画像が組込画像として選択されているときには、該組込画像として選択された複数の画像を前記選択されたテンプレートの組込領域へ前記順位設定手段により設定された順位の順に組み込む手段であるものとすることもできる。こうすれば、組込画像として選択された複数の画像をテンプレートの組込領域に設定された順位の順に自動的に組み込むことができる。さらに、本発明の印刷ジョブ作成装置において、前記画像組込手段は、前記組込画像選択手段により複数の画像が組込画像として選択されているときには、該組込画像として選択された順に前記複数の画像を前記選択されたテンプレートの組込領域へ前記順位設定手段により設定された順位の順に組み込む手段であるものとすることもできる。こうすれば、組込画像として選択された複数の画像を選択された順にテンプレートの組込領域に設定された順位の順に自動的に組み込むことができる。あるいは、本発明の印刷ジョブ作成装置において、前記順位設定手段により設定された順位を前記組込領域との関係をもって表示する領域順位表示手段を備えるものとすることもできる。こうすれば、組込画像が組込領域に組み込まれ際の組込領域の順を確認することができる。